(57)【要約】【課題】被検体の個人的情報の漏洩を個人的情報の閲覧を妨げることなく防止する。【解決手段】この発明の移動式Ｘ線撮影装置は、被検体Ｍの個人的情報が情報表示モニタ６の画面から漏洩する心配がある時は、表示形態切り換え操作部１４による個人情報非表示形態への切り換え操作を行なうことにより、情報表示モニタ６の画面から個人的情報を消し去ることができるので、個人的情報の漏洩が起こる懸念はない。逆に、情報表示モニタ６の画面に表示されていない個人的情報を閲覧したい時は、表示形態切り換え操作部１４による個人情報有表示形態への切り換え操作を行なうことにより、情報表示モニタ６の画面に個人的情報を映し出すことができるので、個人的情報の閲覧が妨げられる懸念もない。よって、情報表示モニタ６と表示モニタ制御部７により表示される被検体の個人的情報が第３者に漏洩するのを、個人的情報の閲覧を妨げることなく防止できる。【選択図】    図１
2006043273.tif 000002
【特許請求の範囲】
【請求項１】
移動可能な台車に、撮影対象の被検体にＸ線を照射するＸ線管を含むＸ線撮影用手段と、Ｘ線撮影に必要な各種情報を表示する情報表示手段とが搭載されていて、情報表示手段が撮影する被検体に関する被検体属性データおよび実行するＸ線撮影に関する撮影条件データを少なくとも含む個人的情報を各種情報の一つとして表示できる移動式Ｘ線撮影装置において、情報表示手段による情報表示形態を個人的情報については表示しない個人情報非表示形態と個人的情報についても表示する個人情報有表示形態との間で切り換える操作を行なう表示形態切り換え操作手段と、表示形態切り換え操作手段による個人情報非表示形態への切り換え操作がなされた時は情報表示手段に個人的情報については表示しない個人情報非表示形態を採らせ、表示形態切り換え操作手段による個人情報有表示形態への切り換え操作がなされた時は情報表示手段に個人的情報についても表示する個人情報有表示形態を採らせる制御を行なう情報表示形態制御手段とを備えていることを特徴とする移動式Ｘ線撮影装置。
【請求項２】
請求項１に記載の移動式Ｘ線撮影装置において、Ｘ線撮影用手段に被検体の透過Ｘ線像を検出するフラットパネル型Ｘ線検出器と、フラットパネル型Ｘ線検出器から出力されるＸ線検出信号に基づき被検体の透過Ｘ線像に対応するＸ線画像を取得する検出信号処理手段が含まれていて、情報表示手段が被検体のＸ線画像を個人的情報の一つとして表示する移動式Ｘ線撮影装置。
【請求項３】
請求項１または２に記載の移動式Ｘ線撮影装置において、表示形態切り換え操作手段による個人情報有表示形態への切り換え操作が秘密性を有する特殊操作である移動式Ｘ線撮影装置。
【請求項４】
請求項３に記載の移動式Ｘ線撮影装置において、秘密性を有する特殊操作が、予め登録されている暗証データに対応する暗証データをインプットするデータインプット操作である移動式Ｘ線撮影装置。
【請求項５】
請求項３に記載の移動式Ｘ線撮影装置において、秘密性を有する特殊操作が、複数のスイッチを予め定められた操作方法の通りに操作するスイッチング操作である移動式Ｘ線撮影装置。
【発明の詳細な説明】
【技術分野】
【０００１】
この発明は、撮影対象の被検体にＸ線を照射するＸ線管を含むＸ線撮影用手段やＸ線撮影に必要な各種情報を表示する情報表示手段が移動可能な台車に搭載されていて、台車の移動により装置の方が撮影対象の被検体の居る場所まで出向き、撮影する被検体に関する被検体属性データやＸ線撮影に関する撮影条件データなどの個人的情報を情報表示手段に各種情報の一つとして表示したりしながらＸ線撮影を行なうことができる移動式Ｘ線撮影装置に係り、特に情報表示手段で表示される被検体の個人的情報が情報表示手段による表示で漏洩するのを防ぐための技術に関する。
【背景技術】
【０００２】
従来、病院等の医療機関で使われている移動式Ｘ線撮影装置は、図１５に示すように、電動移動が可能な台車６１に、撮影対象の被検体（患者）ＭにＸ線を照射するＸ線管６２やＸ線撮影に必要な各種情報が画面に映し出される情報表示モニタ６３などの装備一式が搭載されていて、台車６１の移動によってＸ線撮影装置の方が撮影対象の被検体Ｍが寝ている病室まで出向くことができる。（例えば特許文献１を参照。）。
【０００３】
病室に出向いたＸ線撮影装置によるＸ線撮影の際は、例えばフィルム撮影の場合であれば、台車６１の後部のカセッテ収納ボックス６４からフィルムなどのＸ線撮影用記憶媒体を装填したカセッテＡを取り出してベッドＢの上の被検体Ｍの下にセットすると共に、情報表示モニタ６３の画面に映し出された個人的情報等を点検・確認したりしてから、Ｘ線管６２により被検体ＭにＸ線を照射してカセッテＡの中のＸ線撮影用記憶媒体に被検体Ｍの透過Ｘ線像を写し込む。
【０００４】
なお、情報表示モニタ６３の画面に映し出される個人的情報としては、氏名や性別，生年月日，患者コード等の被検体に関する被検体属性データ、および、撮影部位，撮影方向，焦点距離，管電圧，管電流等のＸ線撮影に関する撮影条件データなどが挙げられる。
【０００５】
Ｘ線撮影が終われば、撮影済みのカセッテＡをカセッテ収納ボックス６４に納めてから台車６１を移動させて病室を出る。つまり、図１５のＸ線撮影装置は、被検体Ｍは専用のレントゲン室まで出向かずに病室に居たままでＸ線撮影が行なえる所謂回診撮影が可能なタイプの装置である。
【特許文献１】特開２００３−２１０４４５号公報（第５〜６頁、図１，図６〜図７）
【発明の開示】
【発明が解決しようとする課題】
【０００６】
しかしながら、上記従来の移動式Ｘ線撮影装置の場合、情報表示モニタ６３の画面に映し出される被検体Ｍの個人的情報が情報表示モニタ６３の表示で漏洩する心配があるという問題がある。例えば、病室が相部屋である場合には、隣のベッドとの間隔もそう広くないことから、情報表示モニタ６３の画面が偶然に隣のベッドの患者の目に入ったりなどして、撮影対象である被検体Ｍの個人的情報が無関係な第３者に漏れる事態が起こりかねない。
【０００７】
個人的情報のうちでも健康に関連する情報は重要度が高いうえに、最近、個人情報の漏洩が実際にあちこちで起こって社会問題化している現況であるので、情報表示モニタ６３の画面に映し出される被検体Ｍの個人的情報が情報表示モニタ６３の画面から漏れてしまう心配がある装置は有用と言えない。ただ被検体Ｍの個人的情報の漏洩の心配がなくても、被検体Ｍの個人的情報を閲覧したい時に個人的情報の閲覧が妨げられるような装置も、やはり有用と言えない。
【０００８】
この発明は、このような事情に鑑みてなされたものであって、Ｘ線撮影に必要な各種情報を表示する為の情報表示手段で表示される被検体の個人的情報が情報表示手段による表示で漏洩するのを、個人的情報の閲覧を妨げることなく防止することができる移動式Ｘ線撮影装置を提供することを目的とする。
【課題を解決するための手段】
【０００９】
この発明は、このような目的を達成するために、次のような構成をとる。
【００１０】
すなわち、請求項１に記載の移動式Ｘ線撮影装置は、移動可能な台車に、撮影対象の被検体にＸ線を照射するＸ線管を含むＸ線撮影用手段と、Ｘ線撮影に必要な各種情報を表示する情報表示手段とが搭載されていて、情報表示手段が撮影する被検体に関する被検体属性データおよび実行するＸ線撮影に関する撮影条件データを少なくとも含む個人的情報を各種情報の一つとして表示できる移動式Ｘ線撮影装置において、情報表示手段による情報表示形態を個人的情報については表示しない個人情報非表示形態と個人的情報についても表示する個人情報有表示形態との間で切り換える操作を行なう表示形態切り換え操作手段と、表示形態切り換え操作手段による個人情報非表示形態への切り換え操作がなされた時は情報表示手段に個人的情報については表示しない個人情報非表示形態を採らせ、表示形態切り換え操作手段による個人情報有表示形態への切り換え操作がなされた時は情報表示手段に個人的情報についても表示する個人情報有表示形態を採らせる制御を行なう情報表示形態制御手段とを備えていることを特徴とするものである。
【００１１】
（作用・効果）請求項１の発明の移動式Ｘ線撮影装置の場合、台車の移動により装置の方が、Ｘ線を照射するＸ線管を含むＸ線撮影用手段やＸ線撮影に必要な各種情報を表示する情報表示手段ごと撮影対象の被検体の居る場所まで出向き、被検体の居る場所において情報表示手段でＸ線撮影に必要な各種情報を表示して点検・確認すると共に、Ｘ線撮影用手段のＸ線管から被検体にＸ線を照射したりしてＸ線撮影を行なう。そして、Ｘ線撮影に必要な各種情報の点検・確認の際には、被検体に関する被検体属性データおよび実行するＸ線撮影に関する撮影条件データを少なくとも含む個人的情報も各種情報の一つとして表示して点検・確認したりして、Ｘ線撮影がミス無く行なわれるようにする。
【００１２】
そして、請求項１の発明の装置において、Ｘ線撮影に必要な各種情報を表示する情報表示手段で表示される被検体の個人的情報が情報表示手段による表示で漏洩する恐れのある時は、オペレータが表示形態切り換え操作手段による個人情報非表示形態への切り換え操作を行なうと、情報表示形態制御手段が情報表示手段に個人的情報については表示しない個人情報非表示形態を採らせるので、個人的情報は情報表示手段で全く表示されず、個人的情報の漏洩は起こらない。
【００１３】
逆に、請求項１の発明の装置において、情報表示手段で表示されていない個人的情報を閲覧したい時は、オペレータが表示形態切り換え操作手段による個人情報有表示形態への切り換え操作を行なうと、情報表示形態制御手段が情報表示手段に個人的情報についても表示する個人情報有表示形態を採らせるので、個人的情報が情報表示手段により速やかに表示され、個人的情報を直ちに閲覧できる。
【００１４】
つまり、請求項１の発明の装置の場合、表示形態切り換え操作手段により個人情報非表示形態への切り換え操作が行なわれると、情報表示形態制御手段が情報表示手段に個人的情報については表示しない個人情報非表示形態を採らせるので、個人的情報は消えて表示されなくなり、逆に、表示形態切り換え操作手段により個人情報有表示形態への切り換え操作が行なわれると．情報表示形態制御手段が情報表示手段に個人的情報についても表示する個人情報有表示形態を採らせるので、個人的情報は表示されるという構成が備わっている。
【００１５】
その結果、被検体の個人的情報が情報表示手段による表示で漏洩する恐れのある時は、オペレータが表示形態切り換え操作手段による個人情報非表示形態への切り換え操作を行なうことにより、個人的情報の表示をなくすことができるので、個人的情報の漏洩が起こる懸念はない。逆に、情報表示手段で表示されていない個人的情報を閲覧したい時は、オペレータが表示形態切り換え操作手段による個人情報有表示形態への切り換え操作を行なうことにより、個人的情報の表示を速やかに再開させることができるので、個人的情報の閲覧が妨げられる懸念もない。
【００１６】
また、請求項２の発明は、請求項１に記載の移動式Ｘ線撮影装置において、Ｘ線撮影用手段に被検体の透過Ｘ線像を検出するフラットパネル型Ｘ線検出器と、フラットパネル型Ｘ線検出器から出力されるＸ線検出信号に基づき被検体の透過Ｘ線像に対応するＸ線画像を取得する検出信号処理手段が含まれていて、情報表示手段が被検体のＸ線画像を個人的情報の一つとして表示するものである。
【００１７】
（作用・効果）請求項２の発明の装置によれば、Ｘ線撮影用手段に含まれているフラットパネル型Ｘ線検出器と検出信号処理手段とによって被検体の透過Ｘ線像に対応するＸ線画像が取得されると共に取得されたＸ線画像が情報表示手段で表示される構成を備えているので、Ｘ線撮影により得られるＸ線画像を撮影現場で即時に観察することができる。
【００１８】
加えて、請求項２の発明の装置の場合、情報表示手段で表示されるＸ線画像は個人的情報の一つであるので、表示形態切り換え操作手段の切り換え操作によってＸ線画像の表示をなくして、Ｘ線画像を第３者の目に晒されないようにできるだけでなく、逆に表示形態切り換え操作手段の切り換え操作によってＸ線画像の表示を再開させて、医師やオペレータ等の関係者がＸ線画像を閲覧できるようにすることもできる。
【００１９】
また、請求項３の発明は、請求項１または２に記載の移動式Ｘ線撮影装置において、表示形態切り換え操作手段による個人情報有表示形態への切り換え操作が秘密性を伴う特殊操作であるものである。
【００２０】
（作用・効果）請求項３の発明の装置によれば、表示形態切り換え操作手段による個人情報有表示形態への切り換え操作を行なって被検体の個人的情報を情報表示手段で表示するのには、秘密性を有する特殊操作を知っている必要があるが、秘密性を有する特殊操作を関係者でない第３者が知ることは難しいので、関係者でない第３者に個人的情報が漏れることを確実に阻止できる。
【００２１】
また、請求項４の発明は、請求項３に記載の移動式Ｘ線撮影装置において、秘密性を有する特殊操作が、予め登録されている暗証データに照合する暗証データをインプットするデータインプット操作であるものである。
【００２２】
（作用・効果）請求項４の発明の装置によれば、秘密性を有する特殊操作の秘密性は、インプットされる暗証データと照らし合わせる暗証データを予め登録しておくことに基づくものであるが、予め登録されている暗証データを関係者でない第３者が知ることは極めて難しいので、関係者でない第３者によって秘密性を有する特殊操作が行なわれることは事実上有り得ず、より確実に個人的情報の漏洩を阻止できる。
【００２３】
また、請求項５の発明は、請求項３に記載の移動式Ｘ線撮影装置において、秘密性を有する特殊操作が、複数のスイッチを予め定められた操作方法の通りに操作するスイッチング操作であるものである。
【００２４】
（作用・効果）請求項５の発明の装置によれば、秘密性を有する特殊操作の秘密性は、複数のスイッチについて操作方法を予め定めておくことに基づくものであるが、複数のスイッチについて予め定められた操作方法を関係者でない第３者が知ることは極めて難しいので、関係者でない第３者によって秘密性を有する特殊操作が行なわれることは事実上有り得ず、より確実に個人的情報の漏洩を阻止できる。
【発明の効果】
【００２５】
この発明の移動式Ｘ線撮影装置は、表示形態切り換え操作手段により個人情報非表示形態への切り換え操作が行なわれると、情報表示形態制御手段が情報表示手段に個人的情報については表示しない個人情報非表示形態を採らせるので、個人的情報は消えて表示されなくなり、逆に、表示形態切り換え操作手段により個人情報有表示形態への切り換え操作が行なわれると．情報表示形態制御手段が情報表示手段に個人的情報についても表示する個人情報有表示形態を採らせるので、個人的情報は表示されるという構成が備わっている。
【００２６】
その結果、被検体の個人的情報が情報表示手段による表示で漏洩する恐れのある時は、オペレータが表示形態切り換え操作手段による個人情報非表示形態への切り換え操作を行なうことにより、個人的情報の表示をなくすことができるので、個人的情報の漏洩が起こる懸念はない。
【００２７】
逆に、情報表示手段で表示されていない個人的情報を閲覧したい時は、オペレータが表示形態切り換え操作手段による個人情報有表示形態への切り換え操作を行なうことにより、個人的情報の表示を速やかに再開させることができるので、個人的情報の閲覧が妨げられる懸念もない。
【００２８】
よって、請求項１の発明の移動式Ｘ線撮影装置によれば、Ｘ線撮影に必要な各種情報を表示する為の情報表示手段で表示される被検体の個人的情報が情報表示手段による表示で漏洩するのを、個人的情報の速やかな閲覧を妨げることなく防止することができる。
【実施例】
【００２９】
以下、この発明の移動式Ｘ線撮影装置の一実施例を説明する。図１はこの発明の実施例に係る移動式Ｘ線撮影装置の制御系の構成を示すブロック図、図２は実施例の装置の外観を示す斜視図、図３は実施例の装置が備えているフラットパネル型Ｘ線検出器（以下、適宜「ＦＰＤ」と略記）におけるＸ線検出素子の配列状況を示す平面図、図４は実施例の装置によるＸ線撮影実行時の概要を示す立面図である。
【００３０】
実施例の移動式Ｘ線撮影装置は、４輪タイプで後輪駆動式の移動可能な台車１に、撮影対象の被検体ＭにＸ線を照射するＸ線管２を始めとして高圧電源（図示省略）を含むＸ線照射制御部３および被検体Ｍの透過Ｘ線像を検出するＦＰＤ４やＸ線管２による被検体ＭへのＸ線照射に伴ってＦＰＤ４から出力されるＸ線検出信号に基づき被検体Ｍの透過Ｘ線像に対応するＸ線画像を取得する検出信号処理部５などの装備類一式が搭載されていて、台車１の移動により実施例の装置の方が走行して撮影対象の被検体Ｍが寝ている病室まで出向くことができる構成とされている。つまり、実施例の装置は、被検体Ｍが専用のレントゲン室まで出向かずとも病室に居たままでＸ線撮影が行なえる所謂回診撮影が可能なタイプの装置である。
【００３１】
Ｘ線管２は、台車１の前部側に垂直に立てられた支柱２Ａに昇降可能に水平状態で取り付けられた保持アーム２Ｂの先端に装着されている。支柱２Ａは直立状態を維持した状態で中心軸を回転軸として回転可能となっていて、台車１の走行中はＸ線管２を保持アーム２Ｂごと支柱２Ａの後側に位置させてＸ線管２が走行の妨げにならないようにする。そして、撮影時には支柱２Ａを回転させてＸ線管２を保持アーム２Ｂごと支柱２Ａの前側に位置させると共に、保持アーム２Ｂを支柱２Ａに沿って上げ下げしてＸ線管２の高さが適当な高さとなるように調整する。
【００３２】
ＦＰＤ４は、図３に示すように、Ｘ線検出面４Ａに多数のＸ線検出素子４ａが縦横（ＸＹ方向）に配列された２次元Ｘ線検出デバイスであり、Ｘ線検出面４Ａに投影される透過Ｘ線像をＸ線検出素子４ａで検出してＸ線画像取得用のＸ線検出信号を出力する構成とされている。ＦＰＤ４は、イメージインテンシファイアと異なり、軽くて薄型であるので、図４に示すように、ベッドＢの上に寝ている被検体Ｍの下に難なくセットすることができる。
【００３３】
また、台車１には、情報表示モニタ６および表示モニタ制御部７がＸ線撮影に必要な各種情報を表示する情報表示手段として搭載されており、オペレータによる台車１の上面に配備された操作パネル８からの入力内容やＸ線撮影の進行に応じて、表示モニタ制御部７が適当な情報を、台車１の上面に配備された情報表示モニタ６の画面に映し出させる構成とされている。
【００３４】
加えて、実施例の装置は、情報表示モニタ６の画面に映し出される各種情報を記憶するデータメモリ９と、ホストコンピュータ等の外部装置から送り込まれる情報を受信するデータ受信部１０と、ホストコンピュータ等の外部装置に情報を送り出すデータ送信部１１とを備えている。データメモリ９には、検出信号処理部５で取得されたＸ線画像や、操作パネル８から入力された情報あるいはデータ受信部１０で受信された情報が記憶されると共に、逆にデータメモリ９に記憶されている情報は必要に応じてデータ送信部１１から送り出される。
【００３５】
なお、実施例の装置の場合、台車１は電動移動の可能な構成とされている。即ち、オペレータが操作パネル８で行なう運転操作にしたがって電気モータ１２が回転するのに連れて台車１の後輪１Ａが回転して台車１が走行する。また、台車１の後部には、ＦＰＤ４を納めておくＦＰＤ収納ボックス１３が配設されていて、台車１の走行中や装置の不使用時には、ＦＰＤ４がＦＰＤ収納ボックス１３の中に納められた状態で保管される。
【００３６】
さらに、実施例の装置の場合、被検体Ｍの個人的情報が各種情報の一つとして情報表示モニタ６の画面に映し出される構成とされている。
【００３７】
具体的には、図５に示すように、患者一覧リスト画像Ｐ１が情報表示モニタ６に表示された場合は、患者コードおよび患者氏名や病室を示す被検体Ｍに関する被検体属性データが個人的情報として情報表示モニタ６の画面に映し出されることになる。
【００３８】
また、図６に示すように、患者別リスト画像Ｐ２が情報表示モニタ６に表示された場合は、患者の氏名・コードや性別あるいは年齢などを示す被検体Ｍに関する被検体属性データ、および、撮影部位や撮影方向あるいはＸ線管２の管電圧・管電流を示すＸ線撮影に関する撮影条件データが個人的情報として情報表示モニタ６の画面に映し出されることになる。
【００３９】
さらに、図７に示すように、Ｘ線画像表示画像Ｐ３が情報表示モニタ６に表示された場合は、被検体ＭのＸ線画像も個人的情報として情報表示モニタ６の画面に映し出されることになる。
【００４０】
そして、実施例の移動式Ｘ線撮影装置は、加えて、情報表示モニタ６と表示モニタ制御部７による情報表示形態を個人的情報については表示しない個人情報非表示形態と個人的情報についても表示する個人情報有表示形態との間で切り換える操作を行なう画面入力スイッチ方式の表示形態切り換え操作部１４と、表示形態切り換え操作部１４による個人情報非表示形態への切り換え操作がなされた時は情報表示モニタ６と表示モニタ制御部７に個人的情報については表示しない個人情報非表示形態を採らせ、表示形態切り換え操作部１４による個人情報有表示形態への切り換え操作がなされた時は情報表示モニタ６と表示モニタ制御部７に個人的情報についても表示する個人情報有表示形態を採らせる制御を行なう情報表示形態制御部１５とを備えていることを構成上の特徴としている。
【００４１】
実施例の装置の場合、表示形態切り換え操作部１４による個人情報非表示形態への切り換え操作は、図５〜図７の各画像Ｐ１〜Ｐ３の中に表示されている非表示用画面入力スイッチ１４Ａ〜１４Ｃのどれかをタッチするだけである。
【００４２】
非表示用画面入力スイッチ１４Ａをタッチすると、図５の患者一覧リスト画像Ｐ１は、図８に示すように、個人的情報が消された個人情報非表示画像Ｑ１に変更される。非表示用画面入力スイッチ１４Ｂをタッチすると、図６の患者別リスト画像Ｐ２は、図９に示すように、個人的情報が消された個人情報非表示画像Ｑ２に変更される。非表示用画面入力スイッチ１４Ｃをタッチすると、図７のＸ線画像表示画像Ｐ３は、図１０に示すように、個人的情報が消された個人情報非表示画像Ｑ３に変更される。
【００４３】
変更後の各個人情報非表示画像Ｑ１〜Ｑ３では非表示用画面入力スイッチ１４Ａ〜１４Ｃに代わって、有表示用画面入力スイッチ１４Ｄ〜１４Ｆが表示されるようになる。
【００４４】
上とは逆の表示形態切り換え操作部１４による個人情報有表示形態への切り換え操作は、次のようにして行なわれる。先ず、図８〜図１０の各画像Ｑ１〜Ｑ３の中に表示されている有表示用画面入力スイッチ１４Ｄ〜１４Ｆのどれかをタッチすると、図１１に示すように、情報表示モニタ６の画面は暗証コード入力用画像ＱＡに切り換わる。
【００４５】
続いて、オペレータは、図１２に示すように、画像ＱＡの中のテンキー用画面入力スイッチ１４Ｇの数字を、４桁の数字からなる自分の暗証コード（暗証データ）の数字順にタッチしてから、完了用画面入力スイッチ１４Ｈをタッチする。
【００４６】
そうすると、情報表示形態制御部１５の内部で、暗証コード入力用画像ＱＡに入力した暗証コードが予め登録されている暗証コードと照合されて入力した暗証コードが正しいか否か判定される。暗証コードが正しければ、有表示用画面入力スイッチ１４Ｄ〜１４Ｆのうちタッチしたスイッチに対応する画像が呼び出されて情報表示モニタ６の画面に表示される。有表示用画面入力スイッチ１４Ｄがタッチされた場合は、図５の患者一覧リスト画像Ｐ１が表示される。有表示用画面入力スイッチ１４Ｅがタッチされた場合は、図６の患者別リスト画像Ｐ２が表示される。有表示用画面入力スイッチ１４Ｆがタッチされた場合は、図７のＸ線画像表示画像Ｐ３が表示される。
【００４７】
しかし、暗証コードが誤りであれば、情報表示モニタ６の画面は変更されない。その場合は、取消用画面入力スイッチ１４Ｉをタッチする。そうすると、情報表示モニタ６の画面は暗証コード入力前の図１１の暗証コード入力用画像ＱＡに戻るので、もう一度、暗証コードを入力し直して再度、操作を繰り返す。
【００４８】
また、表示形態切り換え操作部１４による個人情報非表示形態への切り換え操作は、図５〜図７の各画像Ｐ１〜Ｐ３の中の一つの画像で行なえば他の画像にも効力が及んで全ての個人的情報が非表示となる。逆に表示形態切り換え操作部１４による個人情報有表示形態への切り換え操作は、図８〜図１０の各画像Ｑ１〜Ｑ３の中の一つの画像で行なえば他の画像にも効力が及んで全ての個人的情報が表示されるようになる。
【００４９】
さらに、表示形態切り換え操作部１４による個人情報有表示形態への切り換え操作の方については、予め登録されている暗証コードに照合する暗証データをインプットするデータインプット操作であり、オペレータの暗証コードを事前に知らなければ操作を完了させられないので、秘密性を有する特殊操作であることになる。
【００５０】
また、以上のことから明かなように、実施例の装置の表示形態切り換え操作部１４は、タッチスイッチ方式の画面入力スイッチ１４Ａ〜１４Ｉによって構成されていることになる。
【００５１】
なお、主制御部１６は、操作パネル８の入力内容やＸ線撮影の進行状況に応じて各部に命令やデータを送出し装置全体が正常に稼働させる役割を果たす。
【００５２】
次に、以上に述べた構成を有する実施例の移動式Ｘ線撮影装置によるＸ線撮影は次のようにして行なわれる。
【００５３】
実施例の移動式Ｘ線撮影装置によりＸ線撮影を行なう場合ちは、先ず電気モータ１２を回転させて台車１を走行させることによって実施例の装置を撮影対象の被検体Ｍが居る病室へ移動させる。
【００５４】
次にＸ線管２を支持アーム２Ｂごと支柱２Ａの前側に向けてから必要に応じてＸ線管２の高さを調整すると共に、ＦＰＤ収納ボックス１３からＦＰＤ４を取り出し、図４に示すように、ＦＰＤ４をベッドＢの上の被検体Ｍの下にセットする。
【００５５】
続いて、情報表示モニタ６の画面に図５の患者一覧リスト画像Ｐ１や図６の患者別リスト画像Ｐ２などを映し出して点検・確認したりしてから、操作パネル８を操作してＸ線管２からＸ線を照射してＸ線画像を取得して、図７に示すように、情報表示モニタ６の画面にＸ線画像を表示して観察する。
【００５６】
そして、Ｘ線撮影中、情報表示モニタ６の画面に映し出された被検体Ｍの個人的情報が他の患者の目に触れる等して漏洩する心配のある時は、表示形態切り換え操作部１４による個人情報非表示形態への切り換え操作を行なって、個人的情報を情報表示モニタ６の画面から消す。勿論、個人的情報を閲覧する必要がある時は、表示形態切り換え操作部１４による個人情報有表示形態への切り換え操作を行なって、個人的情報を情報表示モニタ６の画面に再表示する。
【００５７】
Ｘ線撮影が終了すれば、ＦＰＤ収納ボックス１３にＦＰＤ４を納めると共に、Ｘ線管２を支持アーム２Ｂごと支柱２Ａの後側に向けてから、電気モータ１２を回転させて台車１を走行させることによって実施例の装置を次の場所へ移動させる。
【００５８】
以上に詳述したように、実施例の装置の場合、表示形態切り換え操作部１４により個人情報非表示形態への切り換え操作が行なわれると、情報表示形態制御部１５が情報表示モニタ６と表示モニタ制御部７に個人的情報については表示しない個人情報非表示形態を採らせるので、個人的情報は表示モニタ６の画面から消えて表示されなくなり、逆に、表示形態切り換え操作部１４により個人情報有表示形態への切り換え操作が行なわれると、情報表示形態制御部１５が情報表示モニタ６と表示モニタ制御部７に個人的情報についても表示する個人情報有表示形態を採らせるので、個人的情報も表示モニタ６の画面に現れて表示されるという構成が備わっている。
【００５９】
その結果、被検体の個人的情報が表示モニタ６の画面に映し出されて漏洩する恐れのある時は、オペレータが表示形態切り換え操作部１４による個人情報非表示形態への切り換え操作を行なうことにより、情報表示モニタ６の画面から個人的情報を消し去ることができるので、個人的情報の漏洩が起こる懸念はない。
【００６０】
逆に、表示されていない個人的情報を表示モニタ６の画面で閲覧したい時は、オペレータが表示形態切り換え操作部１４による個人情報有表示形態への切り換え操作を行なうことにより、情報表示モニタ６の画面に個人的情報を映し出すことができるので、個人的情報の速やかな閲覧が妨げられる懸念もない。
【００６１】
よって、実施例の装置によれば、情報表示モニタ６と表示モニタ制御部７で各種情報の一つとして表示される被検体の個人的情報が情報表示モニタ６の画面から漏洩するのを、個人的情報の速やかな閲覧を妨げることなく防止することができる
また、実施例の装置によれば、表示形態切り換え操作部１４による個人情報有表示形態への切り換え操作が、関係者でない第３者が知ることは難しい秘密性を有する特殊操作であるので、関係者でない第３者に個人的情報が漏れることを確実に阻止できる。
【００６２】
加えて、実施例の装置の場合、個人情報有表示形態への切り換えを行なう特殊操作を実行するのに必要な暗証コードを関係者でない第３者が知ることは極めて難しいので、関係者でない第３者によって秘密性を有する特殊操作が行なわれることは事実上有り得ず、より確実に個人的情報の漏洩を阻止できる。
【００６３】
この発明は、上記の実施例に限られるものではなく、以下のように変形実施することも可能である。
【００６４】
（１）実施例の装置の場合、表示形態切り換え操作部１４による個人情報有表示形態への切り換えの為の秘密性を有する特殊操作の秘密性は、インプットされる数字を組み合わせた暗証コードと照らし合わせる暗証コードを予め登録しておくことに基づくものであったが、暗証コードの代わりにオペレータの指紋（暗証データ）や音声（暗証データ）など数字以外の暗証データでもって秘密性をもたせるようにした外は、実施例と同じ構成の装置が、変形例として挙げられる。
【００６５】
（２）実施例の装置の場合、表示形態切り換え操作部１４による個人情報有表示形態への切り換えの為の秘密性を有する特殊操作が、複数のスイッチを予め定められた操作方法の通りに操作するスイッチング操作である外は実施例と同じ構成の装置も、変形例として挙げられる。具体的には、図１３の個人情報非表示画像Ｑａに示すように、有表示用画面入力スイッチ１４ａと次頁用画面入力スイッチ１４ｂを同時にタッチすることで特殊操作が行なわれたり、図１４の個人情報非表示画像Ｑｂに示すように、有表示用画面入力スイッチ１４ａをタッチしたまま次頁用画面入力スイッチ１４ｂと前頁用画面入力スイッチ１４ｃを順番にタッチすることで特殊操作が行なわれる構成が挙げられる。
【００６６】
（３）実施例の装置の場合、個人情報非表示形態への切り換えによって、情報表示モニタ６の画面が個人的情報だけを消去した図８〜図１０の画像Ｑ１〜Ｑ３に変更される構成であったが、個人情報非表示形態への切り換えによって、情報表示モニタ６の画面には個人的情報に関連する画像が一切表示されなくなり、例えば操作パネル８を使って行なう秘密性を有する特殊操作による個人情報有表示形態への切り換えによって、個人的情報に関連する画像の表示が再開される構成であってもよい。
【００６７】
（４）実施例の装置の場合、表示形態切り換え操作部１４が画面スイッチにより構成されていたが、表示形態切り換え操作部１４は全て操作パネル８に配備されているスイッチで構成されているようであってもよい。
【００６８】
（５）実施例の装置の場合、被検体Ｍの透過Ｘ線像を検出するＸ線受像デバイスとしてＦＰＤ４を備えていたが、Ｘ線受像デバイスはＦＰＤに限られない。ＦＰＤの代わりにフィルムなどのＸ線撮影用記憶媒体を装填したカセッテを単独で備えている形態や、カセッテとＦＰＤの両方を備えている形態であってもよい。
【００６９】
（６）実施例の装置の場合、後輪を回転駆動して台車１を走行させる構成であったが、台車１は前輪駆動タイプであってもよいし、四輪駆動タイプであってもよい。
【図面の簡単な説明】
【００７０】
【図１】実施例の移動式Ｘ線撮影装置の制御系の構成を示すブロック図である。
【図２】実施例の移動式Ｘ線撮影装置の外観を示す斜視図である。
【図３】実施例の装置が備えているＦＰＤにおけるＸ線検出素子の配列状況を示す平面図である。
【図４】実施例の装置によるＸ線撮影実行時の概要を示す立面図である。
【図５】情報表示モニタに表示された患者一覧リスト画像を示す平面図である。
【図６】情報表示モニタに表示された患者別リスト画像を示す平面図である。
【図７】情報表示モニタに表示されたＸ線画像表示画像を示す平面図である。
【図８】情報表示モニタに表示された個人情報非表示画像の一例を示す平面図である。
【図９】情報表示モニタに表示された個人情報非表示画像の他の例を示す平面図である。
【図１０】情報表示モニタに表示された個人情報非表示画像の他の例を示す平面図である。
【図１１】情報表示モニタに表示された暗証コード入力用画像をコード未入力状態で示す平面図である。
【図１２】情報表示モニタに表示された暗証コード入力用画像をコード既入力状態で示す平面図である。
【図１３】情報表示モニタに表示された個人情報非表示画像の変形例を示す平面図である。
【図１４】情報表示モニタに表示された個人情報非表示画像の他の変形例を示す平面図である。
【図１５】従来の移動式Ｘ線撮影装置を示す斜視図である。
【符号の説明】
【００７１】
１          …台車
２          …Ｘ線管
４          …ＦＰＤ
５          …検出信号処理部（検出信号処理手段）
６          …情報表示モニタ（情報表示手段の一部）
７          …表示モニタ制御部（情報表示手段の一部）
１４        …表示形態切り換え操作部（表示形態切り換え操作手段）
１５        …情報表示形態制御部（情報表示形態制御手段）
Ｍ          …被検体
【図１】
2006043273.tif 000003
【図２】
2006043273.tif 000004
【図３】
2006043273.tif 000005
【図４】
2006043273.tif 000006
【図５】
2006043273.tif 000007
【図６】
2006043273.tif 000008
【図７】
2006043273.tif 000009
【図８】
2006043273.tif 000010
【図９】
2006043273.tif 000011
【図１０】
2006043273.tif 000012
【図１１】
2006043273.tif 000013
【図１２】
2006043273.tif 000014
【図１３】
2006043273.tif 000015
【図１４】
2006043273.tif 000016
【図１５】
2006043273.tif 000017